【手続補正書】
【提出日】平成28年3月29日(2016.3.29)
【手続補正１】
【補正対象書類名】明細書
【補正対象項目名】００５０
【補正方法】変更
【補正の内容】
【００５０】
例えば、様々な機能が、組み合せられ得てまたは省略され得る。また、構成要素の寸法および向きが変更され得る。直視光学系１２が折り畳まれる実施形態では、視認光軸Ａは折り曲げられ得て、表示光軸Ｂは、そうした視認光軸Ａの一部と一直線に配置され得る。
なお、本発明は、実施の態様として以下の内容を含む。
［態様１］
視認光軸に沿って配置され、現実世界の視野を視認するための視認光学系と、
前記視認光学系の前記視認光軸に光学的に結合され、画像を生成し、かつ前記視認光学系を介した前記視野において視認される際に当該画像と前記現実世界シーンとを同時にオーバーレイして視認するために当該画像を前記視認光学系の前記視認光軸に沿って方向づけるための、アクティブ表示オーバーレイユニットであって、少なくとも６：１以上の輝度対電力比であるｆＬ：ｍＷ比とともに、前記ホストシステムの前記接眼レンズに対して少なくとも１２００ｆＬのフルカラー輝度を提供可能であるアクティブ表示オーバーレイユニットと、
を含む現実世界ビューア。
［態様２］
態様１に記載のビューアにおいて、
前記ビューアは、兵器照準器、兵器照準器に対する拡張用付属品、ライフル照準器、ライフル照準器に対する拡張用付属品、監視システム、監視システムに対する拡張用付属品、射撃統制システム、射撃統制システムに対する拡張用付属品、レーザ目標ロケータおよび指示装置、レーザ目標ロケータおよび指示装置に対する拡張用付属品、ヘッドマウントディスプレイもしくはヘルメット装着ディスプレイ、ヘッドマウントディスプレイもしくはヘルメット装着ディスプレイに対する拡張用付属品、距離計、または距離計に対する拡張用付属品のうちの少なくとも１つであるビューア。
［態様３］
態様１に記載のビューアにおいて、
前記アクティブ表示オーバーレイユニットは、
ディスプレイ光軸に沿って前記画像を生成するためのアクティブディスプレイと、
前記ディスプレイ光軸に沿って前記ディスプレイと一直線に配置され、かつ前記視認光学系の前記視認光軸に沿って配置され、前記ディスプレイからの前記画像を前記視認光軸上に方向づけて、オーバーレイされるように前記視認光学系で視認される前記視野と組み合わせるための、ビームコンバイナと、
を含むビューア。
［態様４］
態様３に記載のビューアにおいて、
前記視認光学系は、長手方向の視認光軸に沿って配置されるビューア。
［態様５］
態様４に記載のビューアにおいて、
前記アクティブ表示オーバーレイユニットの前記ディスプレイ光軸は、前記視認光学系の前記視認光軸に対して角度をなすビューア。
［態様６］
態様５に記載のビューアにおいて、
前記アクティブ表示オーバーレイユニットは、
アクティブ透過型ディスプレイと、
ＬＥＤ照明で前記アクティブ透過型ディスプレイを照らすためのＬＥＤバックライトと
をさらに含むビューア。
［態様７］
態様６に記載のビューアにおいて、
前記ＬＥＤバックライトは、前記視認光学系の視認円錐角とほぼ適合する前記アクティブ透過型ディスプレイから照明の円錐角を提供するように構成されるビューア。
［態様８］
態様７に記載のビューアにおいて、
前記ＬＥＤバックライトは、前記アクティブ透過型ディスプレイから約±１０°以下の照明の円錐角を提供するように構成されるビューア。
［態様９］
態様８に記載のビューアにおいて、
前記アクティブ表示オーバーレイユニットは、前記ＬＥＤ照明を前記アクティブ透過型ディスプレイ上に集光するためのレンズ配列をさらに含むビューア。
［態様１０］
態様９に記載のビューアにおいて、
前記レンズ配列は、前記ＬＥＤバックライト内に組み込まれた一体化レンズと、当該一体化レンズと前記アクティブ透過型ディスプレイとの間に配置された集光レンズとを含むビューア。
［態様１１］
態様１０に記載のビューアにおいて、
前記アクティブ表示オーバーレイユニットは、少なくとも１５：１以上の輝度対電力比であるｆＬ：ｍＷ比とともに、前記ホストシステムの前記接眼レンズに対して少なくとも５０００ｆＬのモノクロ輝度を提供可能であるビューア。
［態様１２］
態様３に記載のビューアにおいて、
前記アクティブディスプレイを制御するための電子機器をさらに含むビューア。
［態様１３］
態様１２に記載のビューアにおいて、
前記アクティブディスプレイは、アクティブ標的レチクル、距離および風情報、ＧＰＳおよびコンパス情報、標的ＩＤ、および／または外部センサ情報のうちの少なくとも１つのための画像を提供できるビューア。
［態様１４］
態様１０に記載のビューアにおいて、
前記視認光学系および前記アクティブ表示オーバーレイユニットを収容するためのハウジングをさらに含むビューア。
［態様１５］
態様２に記載のビューアにおいて、
前記視野は、標的または状況認識要素をその中に含むビューア。
［態様１６］
態様３に記載のビューアにおいて、
前記アクティブ表示オーバーレイユニットは、輝度を制御して、十分な日光から薄暗い星明かりまでの周囲条件下での視認を可能にするように構成されるビューア。
［態様１７］
態様３に記載のビューアにおいて、
前記アクティブ表示オーバーレイユニットは、画像インテンシファイア暗視装置または熱画像装置を用いて前記現実世界とアクティブ表示オーバーレイユニット画像を視認するために、画像の特定の波長を出力し、調光可能であるビューア。
［態様１８］
態様３に記載のビューアにおいて、
前記アクティブオーバーレイ表示ユニットは、モノクロ、多色および／またはフルカラーのオーバーレイされた画像のうちの少なくとも１つを提供するビューア。
［態様１９］
態様３に記載のビューアにおいて、
前記アクティブ表示オーバーレイユニットは、２段階および／またはフルグレイスケールのオーバーレイ画像のうちの少なくとも１つを提供するビューア。
［態様２０］
態様２に記載のビューアにおいて、
前記現実世界の視認光軸に対する機械的かつ電気的な照準合わせ機能をさらに含むビューア。
［態様２１］
態様１に記載のビューアにおいて、
前記アクティブ表示オーバーレイユニットを前記現実世界ビューアの一体部分としてパッケージ化する手段をさらに含むビューア。
［態様２２］
態様１に記載のビューアにおいて、
前記アクティブ表示オーバーレイユニットは、前記現実世界ビューアに対する付属拡張用デバイスであるビューア。
［態様２３］
長手方向の視認光軸に沿って配置され、現実世界の視野を視認するための直接視認光学系と、
前記視認光学系の前記視認光軸に光学的に結合され、画像を生成し、かつ前記視認光学系を介した前記視野において視認される際に当該画像と前記現実世界シーンを同時にオーバーレイして視認するために当該画像を前記視認光学系の前記視認光軸に沿って方向づけるための、アクティブ表示オーバーレイユニットであって、少なくとも６：１以上の輝度対電力比であるｆＬ：ｍＷ比とともに、前記ホストシステムの前記接眼レンズに対して少なくとも１２００ｆＬのフルカラー輝度を提供可能であり、前記画像をディスプレイ光軸に沿って生成するためのアクティブ透過型ディスプレイと、ＬＥＤ照明で当該アクティブ透過型ディスプレイを照らためのものであり、当該アクティブ透過型ディスプレイから約±１０°以下の円錐角を提供するように構成されたＬＥＤバックライトと、を含むアクティブ表示オーバーレイユニットと、
を含む兵器照準器。
［態様２４］
現実世界ビューアを用いて視認する方法であって、
現実世界の視野を、視認光軸に沿って配置された視認光学系を用いて視認することと、
前記視認光学系の前記視認光軸に光学的に結合されたアクティブ表示オーバーレイユニットによって生成された画像を同時に視認することとを含み、
前記画像は、前記視認光学系を介した前記視野において視認される際に当該画像と前記現実世界シーンを同時にオーバーレイして視認するために、前記視認光学系の前記視認光軸に沿って方向づけられ、前記アクティブ表示オーバーレイユニットは、少なくとも６：１以上の輝度対電力比であるｆＬ：ｍＷ比とともに、前記ホストシステムの前記接眼レンズに対して少なくとも１２００ｆＬのフルカラー輝度を提供可能である、方法。
［態様２５］
態様２４に記載の方法において、
前記ビューアを、兵器照準器、兵器照準器に対する拡張用付属品、ライフル照準器、ライフル照準器に対する拡張用付属品、監視システム、監視システムに対する拡張用付属品、射撃統制システム、射撃統制システムに対する拡張用付属品、レーザ目標ロケータおよび指示装置、レーザ目標ロケータおよび指示装置に対する拡張用付属品、ヘッドマウントディスプレイもしくはヘルメット装着ディスプレイ、ヘッドマウントディスプレイもしくはヘルメット装着ディスプレイに対する拡張用付属品、距離計、または距離計に対する拡張用付属品のうちの少なくとも１つとして用いること
をさらに含む方法。
［態様２６］
態様２４に記載の方法において、
前記画像を、前記アクティブ表示オーバーレイユニットにおいてアクティブディスプレイを用いてディスプレイ光軸に沿って生成することと、
前記ディスプレイ光軸に沿ってビームコンバイナを前記アクティブディスプレイと一直線に配置し、そして、前記アクティブディスプレイからの前記画像を前記視認光軸上に方向づけて、オーバーレイされるように前記視認光学系で視認される前記視野と組み合わせるために、当該ビームコンバイナを前記視認光学系の前記視認光軸に沿って配置することと、
をさらに含む方法。
［態様２７］
態様２６に記載の方法において、
前記視認光学系を長手方向の視認光軸に沿って配置すること、
をさらに含む方法。
［態様２８］
態様２７に記載の方法において、
前記アクティブ表示オーバーレイユニットの前記ディスプレイ光軸を、前記視認光学系の前記視認光軸に対して角度をなして配置すること、
をさらに含む方法。
［態様２９］
態様２８に記載の方法において、
前記アクティブディスプレイはアクティブ透過型ディスプレイであり、
前記方法は、
ＬＥＤバックライトからのＬＥＤ照明で前記アクティブ表示オーバーレイユニットの前記アクティブ透過型ディスプレイを照らすこと、
をさらに含む方法。
［態様３０］
態様２９に記載の方法において、
前記視認光学系の視認円錐角とほぼ適合する、前記アクティブ透過型ディスプレイからの照明の円錐角を提供するように前記ＬＥＤバックライトを構成すること、
をさらに含む方法。
［態様３１］
態様３０に記載の方法において、
前記アクティブ透過型ディスプレイから約±１０°以下の照明の円錐角を提供すること、
をさらに含む方法。
［態様３２］
態様２４に記載の方法において、
レンズ配列を用いて、前記ＬＥＤ照明を前記アクティブディスプレイ上に集光すること、
をさらに含む方法。
［態様３３］
態様３２に記載の方法において、
前記ＬＥＤバックライト内に組み込まれた一体化レンズと、当該一体化レンズと前記アクティブ透過型ディスプレイとの間に配置された集光レンズとを、前記レンズ配列に設けること、
をさらに含む方法。
［態様３４］
態様３３に記載の方法において、
少なくとも１５：１以上の輝度対電力比であるｆＬ：ｍＷ比とともに、前記アクティブ表示オーバーレイユニットから、前記ホストシステムの前記接眼レンズに対して少なくとも５０００ｆＬのモノクロ輝度を提供すること、
をさらに含む方法。
［態様３５］
態様２６に記載の方法において、
電子機器で前記アクティブディスプレイを制御すること、
をさらに含む方法。
［態様３６］
態様３５に記載の方法において、
アクティブ標的レチクル、距離および風情報、ＧＰＳおよびコンパス情報、標的ＩＤ、ならびに／または外部センサ情報のうちの少なくとも１つのための画像を、前記アクティブディスプレイを用いて提供すること、
をさらに含む方法。
［態様３７］
態様３３に記載の方法において、
前記視認光学系および前記アクティブ表示オーバーレイユニットをハウジング内に収容すること、
をさらに含む方法。
［態様３８］
態様２５に記載の方法において、
前記視野内で、標的または状況認識要素を視認すること、
をさらに含む方法。
［態様３９］
態様２６に記載の方法において、
前記アクティブディスプレイの輝度を制御して、十分な日光から薄暗い星明かりまでの周囲条件下での視認を可能にすること、
をさらに含む方法。
［態様４０］
態様２６に記載の方法において、
画像インテンシファイア暗視装置または赤外線画像装置を用いて前記現実世界とアクティブ表示オーバーレイユニット画像を視認するために、特定の波長の画像を出力し、前記アクティブ表示オーバーレイユニットの調光をすること、
をさらに含む方法。
［態様４１］
態様２６に記載の方法において、
モノクロ、多色および／またはフルカラーのオーバーレイされた画像のうちの少なくとも１つを提供すること、
をさらに含む方法。
［態様４２］
態様２６に記載の方法において、
２段階および／またはフルグレイスケールオーバーレイ画像を提供すること、
をさらに含む方法。
［態様４３］
態様２５に記載の方法において、
前記現実世界の視認光軸に対する機械的かつ電気的な照準合わせ機能を提供すること、
をさらに含む方法。
［態様４４］
態様２４に記載の方法において、
前記アクティブ表示オーバーレイユニットを前記現実世界ビューアの一体部分としてパッケージ化する手段を提供すること、
をさらに含む方法。
［態様４５］
態様２４に記載の方法において、
前記アクティブ表示オーバーレイユニットを、前記現実世界ビューアに対する付属拡張用デバイスとして提供すること、
をさらに含む方法。
［態様４６］
兵器照準器を用いて視認する方法であって、
現実世界の視野を、長手方向の視認光軸に沿って配置された直接視認光学系を用いて視認することと、
前記視認光学系の前記視認光軸に光学的に結合されたアクティブ表示オーバーレイユニットによって生成された画像を同時に視認することとを含み、
前記画像は、前記視認光学系を介した前記視野において視認される際に当該画像と前記現実世界シーンを同時にオーバーレイして視認するために、前記視認光学系の前記視認光軸に沿って方向づけられ、
前記アクティブ表示オーバーレイユニットは、少なくとも６：１以上の輝度対電力比であるｆＬ：ｍＷ比とともに、前記ホストシステムの前記接眼レンズに対して少なくとも１２００ｆＬのフルカラー輝度を提供し、さらに前記アクティブ表示オーバーレイユニットは、前記画像をディスプレイ光軸に沿って生成するためのアクティブ透過型ディスプレイと、ＬＥＤ照明で当該アクティブ透過型ディスプレイを照らし、当該アクティブ透過型ディスプレイから約±１０°以下の円錐角を提供するように構成されたＬＥＤバックライトとを含む、方法。